(57)【要約】      （修正有）【課題】記録媒体上のホログラムの再生時に参照光照射位置に精度良くブックを位置付ける。【解決手段】光情報記録媒体１から情報を再生する光情報再生装置は、参照光を発射する光源と、前記光源から発射された参照光の光情報記録媒体への入射角度を調整する角度調整部３１９と、前記角度調整部で調整された参照光を光情報記録媒体に照射したときに得られる回折光の不要光を抑制するフィルタ部３１４と、前記角度調整部で調整された参照光を光情報記録媒体に照射したときに得られる回折光の少なくとも一部を検出する光検出部２０１と、前記フィルタ部を制御する制御部と、を備え、前記光情報記録媒体には、隣接するブックでは少なくともブック内の一部のページデータが参照光の角度多重方向の入射角度をずらして情報が記録されており、前記制御部は、前記光検出部で検出した信号に基づいて、前記フィルタ部を制御する。【選択図】図１０
2015082327.tif 000002
【特許請求の範囲】
【請求項１】
光情報記録媒体から情報を再生する光情報再生装置であって、
参照光を発射する光源と、
前記光源から発射された参照光の光情報記録媒体への入射角度を調整する角度調整部と、
前記角度調整部で調整された参照光を光情報記録媒体に照射したときに得られる回折光の不要光を抑制するフィルタ部と、
前記角度調整部で調整された参照光を光情報記録媒体に照射したときに得られる回折光の少なくとも一部を検出する光検出部と、
前記フィルタ部を制御する制御部と、を備え、
前記光情報記録媒体には、隣接するブックでは少なくともブック内の一部のページデータが参照光の角度多重方向の入射角度をずらして情報が記録されており、
前記制御部は、前記光検出部で検出した信号に基づいて、前記フィルタ部を制御する、光情報再生装置。
【請求項２】
請求項１に記載の光情報再生装置であって、
前記光検出部は、参照光の照射位置と再生目標ブックの記録位置の相対位置ずれ量を検出し、
前記制御部は、前記検出された相対位置ずれ量に基づいて、前記フィルタ部を制御する、光情報再生装置。
【請求項３】
請求項２に記載の光情報再生装置であって、
前記フィルタ部はポリトピックフィルタであり、
前記制御部は、前記検出された相対位置ずれ量に基づいて、前記ポリトピックフィルタを駆動する、光情報再生装置。
【請求項４】
信号光と参照光を用いて光情報記録媒体に情報を記録する光情報記録方法であって、
参照光角度を変化させるステップと、
第１の参照光角度に対応する第１のページデータを含む第１のブックを記録するステップと、
第２の参照光角度に対応する第２のページデータを含む、前記第１のブックと隣接する第２のブックを記録するステップと、を有し、
前記第１の参照光角度と前記第２の参照光角度は異なる参照光角度であり、
前記第１のページデータと前記第２のページデータは、それぞれ前記第１のブックと前記第２のブックに再生位置づけを行うためのサーボページである、光情報記録方法。
【請求項５】
請求項４に記載の光情報記録方法であって、
前記サーボページは既知の固定パターンである、光情報記録方法。
【請求項６】
請求項４に記載の光情報記録方法であって、
前記サーボページは輝度が所定値以上のパターンである、光情報記録方法。
【請求項７】
信号光と参照光を用いて光情報記録媒体に情報を記録する光情報記録方法であって、
参照光角度を変化させるステップと、
第１の参照光角度に対応する第１のページデータと第２の参照光角度に対応する第２のページデータを含む第１のブックを記録するステップと、
第３の参照光角度に対応する第３のページデータと第４の参照光角度に対応する第４のページデータを含む、前記第１のブックと隣接する第２のブックを記録するステップと、を有し、
前記第１のページデータ及び／または前記第２のページデータを用いて前記第１のブックに再生位置づけが行われ、
前記第３のページデータ及び／または前記第４のページデータを用いて前記第２のブックに再生位置づけが行われ、
前記第１の参照光角度と前記第２の参照光角度は、前記第３の参照光角度と前記第４の参照光角度よりも高角度側または低角度側に配置される、光情報記録方法。
【請求項８】
請求項７に記載の光情報記録方法であって、
前記第１のページデータ及び前記第２のページデータは、ユーザデータを含むページデータよりも低角度側に配置されており、
前記第３のページデータ及び前記第４のページデータは、前記ユーザデータを含むページデータよりも高角度側に配置されている、光情報記録方法。
【請求項９】
請求項８に記載の光情報記録方法であって、
前記第１のブックと前記第２のブックは、前記光情報記録媒体の半径方向に隣り合っている、光情報記録方法。
【請求項１０】
信号光と参照光を用いて光情報記録媒体に情報を記録する光情報記録方法であって、
参照光角度を変化させるステップと、
第１の参照光角度に対応する第１のページデータと、第２の参照光角度に対応する第２のページデータと、第３の参照光角度に対応する第３のページデータと、第４の参照光角度に対応する第４のページデータと、を含むブックを記録するステップと、を有し、
前記第１のページデータ及び／または前記第２のページデータを用いて前記ブックに再生位置づけが行われ、
前記第３のページデータと前記第４のページデータはユーザデータを含み、
前記第１の参照光角度と前記第２の参照光角度は、前記第３の参照光角度と前記第４の参照光角度よりも高角度側または低角度側に配置され、
前記第１の参照光角度と前記第２の参照光角度の角度間隔は、前記第３の参照光角度と前記第４の参照光角度の角度間隔よりも大きい、光情報記録方法。
【請求項１１】
請求項４記載の光情報記録方法において、
前記サーボページから得られる回折光量は、ユーザデータを含むページデータから得られる回折光量よりも大きいことを特徴とする光情報記録方法。
【請求項１２】
請求項４記載の光情報記録方法において、
前記第２のブックの前記第１の角度にページデータがすべてゼロであるデータを記録するステップと、備える、光情報記録方法。
【請求項１３】
信号光と参照光を用いて光情報記録媒体に情報を記録する光情報記録方法であって、
参照光角度を変化させるステップと、
第１の参照光角度に対応する第１のページデータと第２の参照光角度に対応する第２のページデータを含む第１のブックを記録するステップと、
第３の参照光角度に対応する第３のページデータと第４の参照光角度に対応する第４のページデータを含む、前記第１のブックと隣接する第２のブックを記録するステップと、を有し、
前記第１のページデータを用いて前記第１のブックに再生位置づけが行われ、
前記第３のページデータを用いて前記第２のブックに再生位置づけが行われ、
前記第２のページデータと前記第４のページデータはユーザデータを含み、
前記第１の参照光角度と前記第３の参照光角度は、異なる参照光角度であり、
前記第２の参照光角度と前記第４の参照光角度は、同一の参照光角度である、光情報記録方法。
【請求項１４】
光情報記録媒体から情報を再生する光情報再生方法であって、
参照光を発射する発射ステップと、
前記発射された参照光の光情報記録媒体への入射角度を調整する角度調整ステップと、
前記調整された参照光を光情報記録媒体に照射したときに得られる回折光の不要光をフィルタにより
抑制する抑制ステップと、
前記調整された参照光を光情報記録媒体に照射したときに得られる回折光の少なくとも一部を検出する光検出ステップと、
前記フィルタを制御する制御ステップと、を備え、
前記光情報記録媒体には、隣接するブックでは少なくともブック内の一部のページデータが参照光の角度多重方向の入射角度をずらして情報が記録されており、
前記制御ステップでは、前記検出された信号に基づいて、前記フィルタを制御する、光情報再生方法。
【発明の詳細な説明】
【技術分野】
【０００１】
本発明は、ホログラフィを用いて記録媒体に情報を記録する方法、記録媒体にホログラフィを用いて記録された情報を再生する装置、方法、特に再生位置ずれの検出に関する。
【背景技術】
【０００２】
背景技術として、特開２００６−２０８９２１号公報（特許文献１）と特開２００９−８７４４８号公報（特許文献２）がある。特許文献１には、「本発明のホログラフィー媒体は、複数の情報データページ各々が参照光の角度を変えて記録されている情報データスタックの位置を示す位置検出情報が、情報データの書込み時に、所定の情報データページに記録されている。」と記載されている。また、特許文献２には「角度多重記録方式でホログラムを記録する時の参照光のディスクへの入射角度の集合を｛θ｝＝［θ1，θ2，・・・，θM］と表すとき、光情報記録媒体１上の位置又はトラック位置に応じて参照光の入射角度｛θ｝を切り替える。」と記載されている。
【先行技術文献】
【特許文献】
【０００３】
【特許文献１】特開２００６−２０８９２１号公報
【特許文献２】特開２００９−８７４４８号公報
【発明の概要】
【発明が解決しようとする課題】
【０００４】
ホログラム記録媒体上にホログラムを高密度に記録する場合、角度多重するページデータ数（多重数）を増加させると同時に、多重記録されたページデータ（以降これをブックと呼ぶ）をホログラム記録媒体上により密に敷き詰めることが必要となる。ホログラム記録媒体上にブックを密に記録する場合、隣接ブック間の間隔が微小となるため、クロストークを防止する観点から再生時に参照光照射位置に精度良くブックを位置付けることが必要となる。
【０００５】
特許文献１は、隣接ブックからの再生光の漏れこみについて考慮されていない。また、特許文献２は、再生位置ずれの検出について考慮されていない。
【０００６】
そこで、本発明の目的は、ホログラム記録媒体に記録された情報を再生する際に、安定した再生位置ずれが検出可能になり、大容量のホログラム記録を実現することが可能になる。
【課題を解決するための手段】
【０００７】
上記課題は、一例として、隣接するブックで少なくともブック内の一部のページデータを、参照光の角度多重方向の入射角度をずらして記録することにより解決される。
【発明の効果】
【０００８】
本発明によれば、安定して再生位置ずれを検出することが可能になり、大容量のホログラム記録を実現することが可能になる。
【図面の簡単な説明】
【０００９】
【図１】光情報記録再生装置の再生位置ずれを検出するページ画像データを表す概略図
【図２】光情報記録再生装置の実施例を表す概略図
【図３】光情報記録再生装置内のピックアップの実施例を表す概略図
【図４】光情報記録再生装置内のピックアップの実施例を表す概略図
【図５】光情報記録再生装置の動作フローの実施例を表す概略図
【図６】光情報記録再生装置内の信号生成回路の実施例を表す概略図
【図７】光情報記録再生装置内の信号処理回路の実施例を表す概略図
【図８】信号生成回路及び信号処理回路の動作フローの実施例を表す概略図
【図９】光情報記録再生装置の再生位置ずれを検出するポリトピックフィルタと回路を示す概略図
【図１０】光情報記録再生装置の再生位置ずれを示す概略図
【図１１】光情報記録媒体上のブックと参照光照射位置の関係を示す図
【図１２】光情報記録媒体上の所定参照光角度におけるページデータと参照光照射位置の関係を示す図
【図１３】光情報記録再生装置の再生位置ずれと光検出器出力の関係を概略図
【図１４】光情報記録再生装置の再生位置制御シーケンスを示すフロー図
【図１５】光情報記録再生装置の再生位置ずれ制御を示す概略図
【図１６】光情報記録再生装置の再生位置制御シーケンスを示すフロー図
【図１７】光情報記録再生装置のブック記録位置とサーボページ記録参照光角度の関係を示す概略図
【図１８】光情報記録再生装置の角度多重記録におけるページ間角度配置を示す概略図
【図１９】光情報記録再生装置のブック記録位置とサーボページ記録参照光角度の関係を示す概略図
【図２０】光情報記録再生装置の角度多重記録における各ページの角度選択性を示す概略図
【図２１】光情報記録再生装置の角度多重記録における各ページの角度選択性を示す概略図
【図２２】光情報記録再生装置の角度多重記録におけるサーボページの記録参照光角度配置を示す概略図
【図２３】光情報記録再生装置の角度多重記録におけるサーボページの記録参照光角度配置を示す概略図
【図２４】光情報記録再生装置の角度多重記録におけるサーボページの記録参照光角度配置を示す概略図
【図２５】光情報記録再生装置の角度多重記録におけるサーボページの記録参照光角度配置を示す概略図
【発明を実施するための形態】
【００１０】
以下、本発明の実施例について図面を用いて説明する。
【実施例１】
【００１１】
本発明の実施形態を添付図面にしたがって説明する。図２はホログラフィを利用してデジタル情報を記録および／または再生する光情報記録媒体の記録再生装置を示すブロック図である。
【００１２】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。
【００１３】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。
【００１４】
ピックアップ１１は、参照光と信号光を光情報記録媒体１に照射してホログラフィを利用してデジタル情報を記録媒体に記録する役割を果たす。この際、記録する情報信号はコントローラ８９によって信号生成回路８６を介してピックアップ１１内の空間光変調器に送られ、信号光は空間光変調器によって変調される。
【００１５】
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。
【００１６】
光情報記録媒体１に照射する参照光と信号光の照射時間は、ピックアップ１１内のシャッタの開閉時間をコントローラ８９によってシャッタ制御回路８７を介して制御することで調整できる。
【００１７】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。
【００１８】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
【００１９】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。
【００２０】
また、ピックアップ１１、そして、ディスクキュア光学系１３は、光情報記録媒体１の半径方向に位置をスライドできる機構が設けられており、アクセス制御回路８１を介して位置制御がおこなわれる。
【００２１】
ところで、ホログラフィの角度多重の原理を利用した記録技術は、参照光角度のずれに対する許容誤差が極めて小さくなる傾向がある。
【００２２】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。
また、ピックアップ１１、キュア光学系１３、ディスク回転角度検出用光学系１４は、いくつかの光学系構成または全ての光学系構成をひとつに纏めて簡素化しても構わない。
【００２３】
再生位置検出回路２０１は、ピックアップ１１で得られる信号に基づいて再生位置ずれを検出する回路であり、検出された再生位置ずれ情報はコントローラ８９に入力され、サーボ制御回路８４、アクセス制御回路８１などに必要な制御情報が展開される。
【００２４】
図３は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。
【００２５】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。
【００２６】
空間光変調器３１２によって情報が付加された信号光は、ＰＢＳプリズム３１１を反射し、リレーレンズ３１３ならびにポリトピックフィルタ３１４を伝播する。その後、信号光は対物レンズ３１５によって光情報記録媒体１に集光する。
【００２７】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。
【００２８】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。
【００２９】
図４は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。
【００３０】
この再生用参照光によって再生された再生光は、対物レンズ３１５、リレーレンズ３１３ならびにポリトピックフィルタ３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。
【００３１】
図５は、光情報記録再生装置１０における記録、再生の動作フローを示したものである。ここでは、特にホログラフィを利用した記録再生に関するフローを説明する。
【００３２】
図５（ａ）は、光情報記録再生装置１０に光情報記録媒体１を挿入した後、記録または再生の準備が完了するまでの動作フローを示し、図５（ｂ）は準備完了状態から光情報記録媒体１に情報を記録するまでの動作フロー、図５（ｃ）は準備完了状態から光情報記録媒体１に記録した情報を再生するまでの動作フローを示したものである。
【００３３】
図５（ａ）に示すように媒体を挿入すると（５０１）、光情報記録再生装置１０は、例えば挿入された媒体がホログラフィを利用してデジタル情報を記録または再生する媒体であるかどうかディスク判別を行う（５０２）。
【００３４】
ディスク判別の結果、ホログラフィを利用してデジタル情報を記録または再生する光情報記録媒体であると判断されると、光情報記録再生装置１０は光情報記録媒体に設けられたコントロールデータを読み出し（５０３）、例えば光情報記録媒体に関する情報や、例えば記録や再生時における各種設定条件に関する情報を取得する。
【００３５】
コントロールデータの読み出し後は、コントロールデータに応じた各種調整やピックアップ１１に関わる学習処理（５０４）を行い、光情報記録再生装置１０は、記録または再生の準備が完了する（５０５）。
【００３６】
準備完了状態から情報を記録するまでの動作フローは図６（ｂ）に示すように、まず記録するデータを受信して（５１１）、該データに応じた情報をピックアップ１１内の空間光変調器に送る。
【００３７】
その後、光情報記録媒体に高品質の情報を記録できるように、必要に応じて例えば光源３０１のパワー最適化やシャッタ３０３による露光時間の最適化等の各種記録用学習処理を事前に行う（５１２）。
【００３８】
その後、シーク動作（５１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００３９】
その後、キュア光学系１３から出射する光ビームを用いて所定の領域をプリキュアし（５１４）、ピックアップ１１から出射する参照光と信号光を用いてデータを記録する（５１５）。
【００４０】
データを記録した後は、キュア光学系１３から出射する光ビームを用いてポストキュアを行う（５１６）。必要に応じてデータをベリファイしても構わない。
【００４１】
準備完了状態から記録された情報を再生するまでの動作フローは図５（ｃ）に示すように、まずシーク動作（５２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００４２】
その後、ピックアップ１１から参照光を出射し、光情報記録媒体に記録された情報を読み出し（５２２）、再生データを送信する（５１３）。
【００４３】
図８は、記録、再生時のデータ処理フローを示したものであり、図８（ａ）は、入出力制御回路９０において記録データ受信処理５１１後、空間光変調器３１２上の２次元データに変換するまでの信号生成回路８６での記録データ処理フローを示しており、図８（ｂ）は光検出器３２５で２次元データを検出後、入出力制御回路９０における再生データ送信処理５２４までの信号処理回路８５での再生データ処理フローを示している。
【００４４】
図８（ａ）を用いて記録時のデータ処理について説明する。ユーザデータを受信（８０１）すると、複数のデータ列に分割、再生時エラー検出が行えるように各データ列をＣＲＣ化（８０２）し、オンピクセル数とオフピクセル数をほぼ等しくし、同一パターンの繰り返しを防ぐことを目的にデータ列に擬似乱数データ列を加えるスクランブル（８０３）を施した後、再生時エラー訂正が行えるようにリード・ソロモン符号等の誤り訂正符号化（８０４）を行う。次にこのデータ列をＭ×Ｎの２次元データに変換し、それを１ページデータ分繰返すことで１ページ分の２次元データ（８０５）を構成する。このように構成した２次元データに対して再生時の画像位置検出や画像歪補正での基準となるマーカーを付加（８０６）し、空間光変調器３１２にデータを転送（８０７）する。
【００４５】
次に図８（ｂ）を用いて再生時のデータ処理フローについて説明する。光検出器３２５で検出された画像データが信号処理回路８５に転送（８１１）される。この画像データに含まれるマーカーを基準に画像位置を検出（８１２）し、画像の傾き・倍率・ディストーションなどの歪みを補正（８１３）した後、２値化処理（８１４）を行い、マーカーを除去（８１５）することで１ページ分の２次元データを取得（８１６）する。このようにして得られた２次元データを複数のデータ列に変換した後、誤り訂正処理（８１７）を行い、パリティデータ列を取り除く。次にスクランブル解除処理（８１８）を施し、ＣＲＣによる誤り検出処理（８１９）を行ってＣＲＣパリティを削除した後にユーザデータを入出力制御回路９０経由で送信（８２０）する。
【００４６】
図６は、光情報記録再生装置１０の信号生成回路８６のブロック図である。
【００４７】
出力制御回路９０にユーザデータの入力が開始されると、入出力制御回路９０はコントローラ８９にユーザデータの入力が開始されたことを通知する。コントローラ８９は本通知を受け、信号生成回路８６に入出力制御回路９０から入力される１ページ分のデータを記録処理するよう命ずる。コントローラ８９からの処理命令は制御用ライン６０８を経由し、信号生成回路８６内サブコントローラ６０１に通知される。本通知を受け、サブコントローラ６０１は各信号処理回路を並列に動作させるよう制御用ライン６０８を介して各信号処理回路の制御を行う。先ずメモリ制御回路６０３に、データライン６０９を介して入出力制御回路９０から入力されるユーザデータをメモリ６０２に格納するよう制御する。メモリ６０２に格納したユーザデータが、ある一定量に達すると、ＣＲＣ演算回路６０４でユーザデータをＣＲＣ化する制御を行う。次にＣＲＣ化したデータに、スクランブル回路６０５で擬似乱数データ列を加えるスクランブル化を施し、誤り訂正符号化回路６０６でパリティデータ列を加える誤り訂正符号化する制御を行う。最後にピックアップインターフェース回路６０７にメモリ６０２から誤り訂正符号化したデータを空間光変調器３１２上の２次元データの並び順で読み出させ、再生時に基準となるマーカーを付加した後、ピックアップ１１内の空間光変調器３１２に２次元データを転送する。
【００４８】
図７は、光情報記録再生装置１０の信号処理回路８５のブロック図である。
【００４９】
コントローラ８９はピックアップ１１内の光検出器３２５が画像データを検出すると、信号処理回路８５にピックアップ１１から入力される１ページ分のデータを再生処理するよう命ずる。コントローラ８９からの処理命令は制御用ライン７１１を経由し、信号処理回路８５内サブコントローラ７０１に通知される。本通知を受け、サブコントローラ７０１は各信号処理回路を並列に動作させるよう制御用ライン７１１を介して各信号処理回路の制御を行う。先ず、メモリ制御回路７０３に、データライン７１２を介して、ピックアップ１１からピックアップインターフェース回路７１０を経由して入力される画像データをメモリ７０２に格納するよう制御する。メモリ７０２に格納されたデータがある一定量に達すると、画像位置検出回路７０９でメモリ７０２に格納された画像データ内からマーカーを検出して有効データ範囲を抽出する制御を行う。次に検出されたマーカーを用いて画像歪み補正回路７０８で、画像の傾き・倍率・ディストーションなどの歪み補正を行い、画像データを期待される２次元データのサイズに変換する制御する。サイズ変換された２次元データを構成する複数ビットの各ビットデータを、２値化回路７０７において“０”、“１”判定する２値化し、メモリ７０２上に再生データの出力の並びでデータを格納する制御を行う。次に誤り訂正回路７０６で各データ列に含まれる誤りを訂正し、スクランブル解除回路７０５で擬似乱数データ列を加えるスクランブルを解除した後、ＣＲＣ演算回路７０４でメモリ７０２上のユーザデータ内に誤りが含まれない確認を行う。その後、入出力制御回路９０にメモリ７０２からユーザデータを転送する。
【００５０】
ここで、本実施例で実現されるブックの再生位置ずれの検出方法について説明する。
【００５１】
図９はポリトピックフィルタ３１４を用いたブック再生位置ずれ検出機構の詳細を示す図である。同図において光情報記録媒体が円盤ディスクの場合、Ｘ方向は円周方向、Ｙ方向は半径方向を示す。（ａ）はポリトピックフィルタ３１４の光入射面を示す図であり、９０１は光軸を示す。図のＡからＤは光検出器であり、ポリトピックフィルタの光情報記録媒体側に図示のように配置される。（ｂ）は光検出器ＡからＤを入力する再生位置ずれ検出回路２０１の内部構成を示す。９０５に示す信号線ＡからＤは（ａ）の光検出器ＡからＤの出力である。
【００５２】
図１０は再生時のブック再生位置ずれが発生した場合の再生光学系を示す図である。ブック再生位置ずれが発生すると、同図に示す戻り光位置１００１が変位し、ポリトピックフィルタ３１４の開口部とのずれが発生する。このポリトピックフィルタ上に到達する戻り光１００１を図１０に示すポリトピックフィルタ上の光検出器ＡからＤで検出し、信号線９０５を介して再生位置ずれ検出回路２０１に入力する。
【００５３】
これにより戻り光１００１が図９（ａ）の光検出器Ａに入射した場合、再生位置ずれ検出回路２０１の減算回路９０２を介して、ΔＸ出力のプラスの信号が出力され、Ｘ軸のプラス方向に位置ずれが発生していることが検出される。同様に戻り光１００１が図９（ａ）の光検出器Ｃに入射した場合、再生位置ずれ検出回路２０１の減算回路９０３を介して、ΔＹ出力のプラスの信号が出力され、Ｙ軸のプラス方向に位置ずれが発生していることが検出される。これにより再生位置ずれの方向を検出することができる。
【００５４】
図１１は光情報記録媒体上に複数のブックを記録した際の、対物レンズ３１５の焦点面でのブック記録位置と参照光照射位置の関係を示す図である。１１０１は再生する当該ブックの記録位置、１１０２は隣接ブックの記録位置、１１０３は参照光照射位置を示す。該ブックと隣接ブックにおいて同一角度位置にページデータが記録されている場合、図のように当該ブックと参照光照射位置がずれた際に、両ブックに跨って参照光が照射され、両ブックのページから再生光量が得られる。そのため、図９の光検出器ＡからＤで戻り光を検出する際、再生位置ずれに対する光量変化が得られず、再生位置ずれ検出感度が得られなくなる。
【００５５】
上記を回避するための再生位置ずれが検出可能なブックの記録方法を図１２に示す。同図において光情報記録媒体が円盤ディスクの場合、Ｘ方向は円周方向、Ｙ方向は半径方向を示す。１１０１、１１０３は図１１と同様だが、隣接するＸ，Ｙ方向のブック１２０４のページデータは、いずれもブック１１０１のデータページとは異なる参照光角度で記録されている。そのため、再生する当該ブック１１０１と参照光１１０３との位置ずれによる隣接ブックからの再生光量は検出されず、位置ずれに伴って得られる再生光量は低下する。これにより、図９で示した再生位置ずれ検出信号ΔＸ，ΔＹからは、図１３の１３０１に示すような再生位置ずれ検出信号を得ることができる。
【００５６】
図１４に再生時のブック記録位置付けとデータ再生開始までのシーケンスの一例を示す。
情報記録媒体内の座標情報などにより再生ブック位置情報を取得することにより、ブック位置付けを開始する（１４０１）とまず機械精度での位置付けを実施する（１４０２）。次に当該ブックの再生するデータページの参照光角度を設定し、ページデータを再生する（１４０３）。この時点では情報記録媒体内の記録剤、例えばポリマーの重合反応、もしくは温度変化による収縮などで、参照光角度の設定値でページデータが再生不良となることが想定される。前述の再生位置ずれ検出は情報記録媒体から再生される光量の差分で再生位置ずれを検出するため、再生される光量が大きいことが望ましい。これにより、例えばページデータから得られる光量が最大となる参照光角度位置を検出することで、ページデータの検出完了を確認する（１４０４）。ページデータが検出された後、前述の手法を用いて再生位置ずれ検出を行う（１４０５）。再生位置ずれが所定量以上の場合（１４０６）は、再位置づけを実施する（１４０７）。再位置付けの手法としては、例えば図１５に示すようにポリトピックフィルタ３１４の位置を図の矢印で示す方向に動かして１５０１の位置にすることで、戻り光を光検出器３２５まで到達させることができる。ポリトピックフィルタ３１４の位置ずらし量は再生位置ずれ検出結果を元に決定する。位置付けが完了したら（１４０８）、そのままページデータの再生を開始する。
【００５７】
本実施例によれば、再生位置ずれに対して、安定した再生位置ずれ信号を検出することができ、精度良く再生位置制御およびページデータ再生を行うことができる。
【００５８】
なお、図９（a）に示すＡからＤの光検出器について、本実施例ではポリトピックフィルタ３１４上に配置されているが、光検出器はポリトピックフィルタ３１４上にある必要はなく、ポリトピックフィルタ３１４と光学的に同一の面に配置してもよい。例えば、対物レンズ３１５とポリトピックフィルタ３１４の間にビームスプリッタを配置して再生光の一部をビームスプリッタで分離し、分離された該光をレンズで集光する構成とし、光検出器は該レンズの焦点面に配置してもよい。再生位置ずれ信号を検出方法はこのような検出方法に限られない。
【００５９】
なお、再生位置ずれを解消する構成として、ポリトピックフィルタ３１４の位置を動かす例を説明したが、これに限られず、光情報記録媒体またはピックアップを動かす構成としてもよい。但し、ポリトピックフィルタ３１４を駆動する構成の方がは高速再生が可能となる。  また、ポリトピックフィルタの代わりに、アングルフィルタを用いてもよい。アングルフィルタとは、所定の角度で入射する光のみを透過させる角度特性を持つフィルタである。アングルフィルタは、再生したいホログラムの回折光がアングルフィルタを透過するよう、角度特性を設計する。この時、設計角度と異なる角度でアングルフィルタに入射する隣接ホログラムの回折光は、フィルタを透過しない。従って本フィルタにより、ポリトピックフィルタ同様に、隣接ホログラムからのクロストークを除去することができる。
【実施例２】
【００６０】
実施例１では、再生する当該ブックのページデータを記録する参照光角度と、隣接するすべてのブックのページデータの記録角度を異ならせることで再生位置ずれ検出を可能としたが、隣接するすべてのブックのページデータをクロストークが発生しないように角度分離を実施すると、隣接するブックのページデータに割り当てた角度は、当該ブックのページデータの記録には使用不可となるため、ブック内のページデータ記録可能な角度が減少し、ブック内の多重数が低下して記録容量が低下する。
【００６１】
上記課題を解決するため、本発明の第２の実施形態では再生位置ずれを検出するためのページデータ（以降これをサーボページと呼ぶ）を備える。図１に再生する当該ブックのサーボページを記録する参照光角度における、当該ブックのページデータと隣接ブックのページデータの関係を示す。同図において光情報記録媒体が円盤ディスクの場合、Ｘ方向は円周方向、Ｙ方向は半径方向を示す。図の１１１は再生する当該ブック、１０１はこの当該ブックのサーボページデータを示す。このサーボページの記録参照光角度をθｓとする。１１２から１１５はブック１１１に隣接するブック、１０２から１０５はブック１１１から１１５は参照光角度θｓのページデータを示す。１０２から１０５はいずれも輝度ゼロのページデータ（以降これをブラックページと呼ぶ）とする。ブラックページの実現方法としては、空間光変調器でゼロデータ（全画素ゼロデータ）として記録する、ブックを記録する際に当該参照光角度で記録動作を実施しない、ブックを記録する際に当該参照光角度を除いて記録する、など様々な手法が考えられる。空間光変調器でゼロデータ（全画素ゼロデータ）として記録する場合、他のブックと同じようなシークエンスで記録が可能となり、記録ストラテジの設定が容易となる。
【００６２】
サーボページは、例えば、既知の固定パターンで構成してもよいし、輝度が所定値または所定値以上のパターンで構成してもよい。また、ページのヘッダ情報等にサーボページであることを示す情報を記録してもよいし、これらを組合せもよい。
【００６３】
また、サーボページは、は再生位置ずれの検出のためだけでなく、例えば、参照光角度の角度調整や光源３０１のレーザー波長の調整に用いてもよい。また、サーボページの一部にユーザデータを記録してもよいし、記録しなくてもよい。
【００６４】
また、サーボページは１つのブックに複数ページ記録してもよい。これにより、より安定した再生位置ずれの検出が可能となる。
【００６５】
図１６にサーボページを使った再生時ブック記録位置付けシーケンスの一例を示す。図１４と同じ処理については同じ符号を付してあり、ここでは説明を省略する。
【００６６】
本実施例では、機械精度での位置付け実施後（１４０２）、次に再生する当該ブックのサーボページが記録させている参照光角度を設定し（１６０１）、サーボページを検出する（１６０２）。サーボページの検出方法は、例えば第１の実施例と同様にサーボページから得られる光量が最大となる参照光角度位置を検出することで、検出完了を確認する。サーボページが検出された後、上記の手法を用いて再生位置ずれ検出を行い（１４０５）、再生位置ずれが所定量以上の場合（１４０６）は、再位置づけを実施する（１４０７）。再位置付けの手法は、例えば第１の実施例と同様の手法を用いる。位置付けが完了したら（１４０８）、再生するデータページの参照光角度設定を行い（１６０３）、ページデータの再生を開始する。
【００６７】
本実施例のように、ブック内の特性のページを再生位置付けのためのサーボページとして位置付けを実施することにより、第１の実施例のように隣接ブック間のデータページの参照光角度位置をずらす必要がなく、第１の実施例と同様のブック位置制御、ページデータ再生の安定性を確保しつつ、ブック内のページデータ多重数を多くする、すなわち情報記録媒体の容量を大きくすることができる。
【００６８】
なお、図１の説明において、当該ブックのページデータと隣接ブックのページデータは同一の参照角度による記録としたが、これは同一参照光角度への記録のみならず、同一角度を制御目標として参照光角度が制御されて記録されたページデータ、および同一角度を基準に同一角度間隔で記録されるように参照光角度を制御することにより多重されたブックにおける同一ページのページデータも含まれる。
【実施例３】
【００６９】
第２の実施例ではサーボページによる位置付けについて説明したが、サーボページの参照光角度配置について、本実施例で説明する。
【００７０】
図１７はサーボページの記録参照光角度と情報記録媒体上のブック配置を示す図である。同図において光情報記録媒体が円盤ディスクの場合、Ｘ方向は円周方向、Ｙ方向は半径方向を示す。図（ａ）は情報記録媒体上のブック配置を表し、（Ａ）から（Ｄ）がブックの記録位置を表す。図（ｂ）はブック（Ａ）から（Ｄ）内のデータページとサーボページの参照光角度配置を示す。１７０１から１７０４がユーザデータを記録するデータページの参照光角度配置、１７１１から１７１４がサーボページの参照光角度配置を示す。サーボページを低角度側の領域１７２１に配置するとともに、隣り合うブックのサーボページの参照光角度をずらして配置する。なお、サーボページ１７１１から１７１４はぞれぞれ複数ページ含んでいてもよい。これにより、より安定した再生位置ずれの検出が可能となる。ユーザデータを記録するデータページについては、隣接ブックで、同一の参照光角度による記録するとしたが、ずらして配置してもよい。なお、ユーザデータを記録するデータページの参照光角度角度位置、および間隔を、隣接ブックと同一とすることで、隣接ブックのページを挿入するための角度ずれを考慮すること必要がなく、ユーザデータの角度間隔を詰めて記録密度を向上させることができる。
【００７１】
本実施例ではサーボページの角度配置を低角度側の領域１７２１に集中的に配置している。このようにサーボページの配置角度領域を集中させることにより、ブック移動時のサーボページの角度位置検出を容易にし、再生時の位置付け時間の削減、再生データの転送レートの向上を実現することができる。
【００７２】
また、図２５に示すように、円周方向についてはサーボページを同一の参照光角度で記録し、半径方向については、ずらして記録してもよい。円周方向に隣接するブック（Ａ）、（Ｂ）のサーボページ２５１１，２５１２を同一の参照光角度で記録し、円周方向に隣接するブック（Ｃ）、（Ｄ）のサーボページ２５１３，２５１４を同一の参照光角度で記録する。半径方向に隣り合う（Ａ）、（Ｃ）サーボページ２５１１，２５１３は異なる参照光角度で記録する。なお、円周方向に隣接するブックのサーボページを異なる参照光角度で記録し、半径方向に隣接するブックのサーボページを同一の参照光角度で記録してもよい。
【実施例４】
【００７３】
本実施例では第３の実施例のサーボページ領域内およびデータページとの記録参照光領域について、図１８を用いて説明する。
【００７４】
同図の１７２１はブック内における前述のサーボページ角度領域、１８０２はユーザデータを記録するデータページ角度領域を示す。本実施例ではサーボページの角度間隔１８０３とデータページの角度間隔１８０４について
角度間隔１８０３＞角度間隔１８０４
となるようにサーボページ角度間隔、およびサーボページ角度領域を配置する。
【００７５】
これにより、サーボページ検出時の角度分離性を向上させ、隣接ブックからのクロストークによる再生ブック位置検出感度の低下を防ぐことができ、実施例３と比較してより安定した再生ブック位置制御を実現することができる。
【００７６】
なお、サーボページとデータページの角度間隔１８０５についても
角度間隔１８０５＞角度間隔１８０４
とすることで、同様の効果を得ることができる。
【００７７】
なお、上記サーボページの記録参照光角度間隔は各サーボページ間で異なっていても良く、本実施例の内容に限定されるものではない。
【実施例５】
【００７８】
本実施例では第３の実施例とは異なるサーボページ領域配置について、図１９を用いて説明する。
【００７９】
同図の（ｃ）はブックを円盤状の情報記録媒体に記録する際のブック配置例で、１９５１、１９５２を代表に示すトラック上にブックを配置することを考える。
【００８０】
同図の１９５３の領域を拡大した図を同図（ａ）に示す。中央のトラック１９６０のブック（Ａ）（Ｂ）に対して、両隣のトラック１９６１、１９６２のブック（Ｃ）、（Ｄ）の位置関係はトラックの円周長が異なることから内周側、外周側で異なるため、ブック（Ａ）（Ｂ）とブック（Ｃ）、（Ｄ）のサーボページの記録参照光角度位置を確実に異ならせることが必要となる。また、媒体を円盤中心で保持する場合、半径方向に向かってディスク反りが発生するため、上記のブック（Ａ）（Ｂ）と両隣のトラックのブック（Ｃ）、（Ｄ）の参照光角度位置が近接している場合、サーボページの記録参照光角度を異なる角度位置を設定しても、媒体内では所望の角度間隔を確保できなくなる恐れがある。
【００８１】
そこで、同図（ｂ）に示すように、隣接するトラック間のサーボページの記録参照光角度位置を、データページの角度多重範囲の低角度側、高角度側に振り分ける。本実施例では、トラック１９６０のサーボページを低角度側、隣接するトラック１９６１、１９６２のサーボページは高角度側に記録する。トラック１９６０に配置されるブック（Ａ）（Ｂ）については、サーボページ１９１１，１９１２をユーザデータを記録するデータページ１９０１、１９０２よりも低角度側に配置し、トラック１９６１、１９６２に配置されるブック（Ｃ）、（Ｄ）については、サーボページ１９１３，１９１４をユーザデータを記録するデータページ１９０３、１９０４よりも高角度側に配置する。
【００８２】
これにより、情報記録媒体の傾き、隣接ブックの位置関係に関わらずサーボページの安定した検出と、それによる再生ブック位置制御を実現することができる。
【００８３】
また、本実施例では円盤上の情報記録媒体のトラック方向でサーボページの角度配置を低角度側、高角度側に分離したが、情報記録媒体の形状、および角度配置の低角度側、高角度側への分離方法については本実施例に限定されるものではない。
【実施例６】
【００８４】
ホログラフィにより情報記録媒体に情報を記録する際に、記録の露光エネルギーの集中を回避するため、前記ブックの記録位置をオーバーラップさせながら位置をずらして記録を行う方法(以降これをショートスタック記録と呼ぶ)がある。本発明の第６の実施例において、前記ショートスタック記録に対応したサーボページ配置について、図２２を用いて説明する。本実施例ではブックを円盤状の情報記録媒体に記録する際の例で、ショートスタックは接線方向に４つの角度領域に分けて実施する例を示す。また、再生するブックの隣接ブックについては、接線方向の隣接ブックを代表例として示す。
【００８５】
図の２２２１は当該の再生ブックであり、本ブックのユーザデータを記録するデータページは、記録領域を接線方向に１／４ブックサイズずつずらしながら角度領域を変えた２２１１、２２１３、２２１５、２２１７の４つのスタックに分けて記録される。このとき、スタック２２１１の位置制御に利用するサーボページをスタック２２１１の角度領域近傍の２２０１に配置する。同様にスタック２２１３、２２１５、２２１７の位置制御に利用するサーボページは、同角度領域の近傍２２０３、２２０５、２２０７に配置する。
【００８６】
同様に２２２２はブック２２２１に対して接線方向に隣接したブックであり、ブック２２２１同様に２２１２、２２１４、２２１６、２２１８の４つのスタックに分けて記録される。サーボページの配置についても、ブック２２２１同様に各スタックの角度領域２２１２、２２１４、２２１６、２２１８の近傍２２０２、２２０４、２２０６、２２０８に記録される。
【００８７】
本実施例の構成とすることで、ショートスタック適用時においても、本発明の第２の実施例と同様の効果を得ることができる。
【実施例７】
【００８８】
本発明の第７の実施例において、前記ショートスタック記録に対応したサーボページ配置の第６の実施例と異なる実施例について、図２３を用いて説明する。本実施例の示す媒体形状、隣接条件は第６の実施例と同様とする。
【００８９】
図の２３２１は当該の再生ブックであり、本ブックのユーザデータを記録するデータページは、記録領域を接線方向に１／４ブックサイズずつずらしながら角度領域を変えた２３１１、２３１３、２３１５、２３１７の４つのスタックに分けて記録される。各スタックのサーボページ２３０１、２３０３、２３０５、２３０７は、前記スタック２３１１の低角度側に集中的に配置する。
【００９０】
同様に２３２２はブック２３２１に対して接線方向に隣接したブックであり、ブック２３２１同様に２３１２、２３１４、２３１６、２３１８の４つのスタックに分けて記録される。サーボページの配置についても、ブック２３２１同様に各スタックのサーボページ２３０２、２３０４、２３０６、２３０８を、サーボページ２３０１、２３０３、２３０５、２３０７とは異なる角度で、ブック２３３１同様に前記スタック２３１２の低角度側に記録する。
【００９１】
本実施例の構成とすることで、ショートスタック適用時においても、本発明の第３の実施例と同様の効果を得ることができる。
【００９２】
なお、本実施例ではサーボページは対応するスタックの低角度側に配置したが、サーボページをスタックの高角度側に配置してもよく、サーボページをスタックの角度位置の関係は上記に限定されるものではない。また、上記サーボページとスタックの関係が異なる条件のスタックが同一ブック内に存在してもよく、隣接ブックの同一記録角度にページデータが記録されていなければよい。
【実施例８】
【００９３】
本発明の第８施例において、前記ショートスタック記録に対応したサーボページ配置の第６、第７の実施例と異なる実施例について、図２４を用いて説明する。本実施例の示す媒体形状、隣接条件は第６の実施例と同様とする。
【００９４】
図の２４２１は当該の再生ブックであり、本ブックのユーザデータを記録するデータページは、記録領域を接線方向に１／４ブックサイズずつずらしながら角度領域を変えた２４１１、２４１３、２４１５、２４１７の４つのスタックに分けて記録される。各スタックのサーボページ２４０１、２４０３、２４０５、２４０７は、前記スタック２４１１の低角度側に集中的に配置する。
【００９５】
同様に２４２２はブック２４２１に対して接線方向に隣接したブックであり、ブック２４２１同様に２４１２、２４１４、２４１６、２４１８の４つのスタックに分けて記録される。サーボページの配置は、ブック２３２１のサーボページとの干渉を避けるため、各スタックのサーボページ２３０２、２３０４、２３０６、２３０８を、スタック２４１８の高角度側に配置する。
【００９６】
本実施例の構成とすることで、ショートスタック適用時においても、本発明の第４の実施例と同様の効果を得ることができる。
【００９７】
なお、前記第３の実施例から第８の実施例における隣接ブックとサーボページの位置については、実施例記載の内容に限定されるものではない。
【００９８】
また、前記第２の実施例から第８の実施例では、媒体形状を円盤形状、隣接ブック位置条件を接線方向隣接位置、もしくは接線、半径方向隣接位置で説明したが、複数のブックが隣接して記録されたホログラムを利用した角度多重記録媒体においては、前記実施例はすべて適用可能であり、前記の記録媒体形状、隣接ブック位置条件に限定されるものではない。
【実施例９】
【００９９】
本発明の第９の実施例を図２０を用いて説明する。本図において、図１８と同一の内容を示すものについては同一の番号を付してある。
【０１００】
同図の２００１に代表される山形は角度選択性、またはブラグ選択性と呼ばれ、ページデータを再生する際に参照光照射で得られる回折光量の参照光角度依存性を示したものである。角度選択性の山の幅が細いほど、隣接する参照角度で記録されたページデータへの漏れこみ、所謂クロストークが少なくなり、角度多重数を増加させることができる。一方、度選択性の山を高くすると得られる回折光量は増加しＳＮＲ(信号ノイズ比)が良好となるが、記録媒体中のホログラムを形成するモノマの消費が多くなり、記録多重数が低下する。
【０１０１】
本実施例では、サーボページの角度領域１７２１で得られる回折光量を、ユーザデータを記録するデータページ角度領域１８０２で得られる回折光量よりも大きくなるように記録する。具体的には、例えば、光源のレーザのパワー及び／又は照射時間を増やすことで、回折光量を増やすことが出来る。これにより、サーボページの検出ＳＮＲを向上させ、安定した再生ブック位置制御を実現できる。なお、サーボページの数はデータページ数より十分少ないため、記録多重数の低下に対する影響は微小となる。
【実施例１０】
【０１０２】
本発明の第１０の実施例を図２１を用いて説明する。本図において、図２０と同一の内容を示すものについては同一の番号を付してある。
【０１０３】
本実施例では、サーボページの角度領域１７２１の角度選択性の幅を、ユーザデータを記録するデータページ角度領域１８０２ので得られる角度選択性の幅よりも大きくなるように記録する。これにより、参照光角度の設定がずれた際のサーボページの検出を容易にし、安定した再生ブック位置制御を実現できる。なお、サーボページの角度選択性の幅を大きくする方法としては、例えば記録波長を大きくする、狭い角度間隔で同じページデータを複数記録することで擬似的に角度選択性の幅を大きくする、などの方法が考えられる。
【０１０４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１０５】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０６】
１・・・光情報記録媒体、１０・・・光情報記録再生装置、１１・・・ピックアップ、
１２・・・再生用参照光光学系、１３・・・ディスクＣｕｒｅ光学系、
１４・・・ディスク回転角度検出用光学系、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、９０・・・入出力制御回路、９１・・・外部制御装置、
２０１・・・再生画像コントラスト検出回路、
３０１・・・光源、３０３・・・シャッタ、３０６・・・信号光、３０７・・・参照光、
３０８・・・ビームエキスパンダ、３０９・・・フェーズ（位相）マスク、
３１０・・・リレーレンズ、３１１・・・ＰＢＳプリズム、
３１２・・・空間光変調器、３１３・・・リレーレンズ、３１４、１５０１・・・空間フィルタ、
３１５・・・対物レンズ、３１６・・・偏光方向変換素子、３２０・・・アクチュエータ、
３２１・・・レンズ、３２２・・・レンズ、３２３・・・アクチュエータ、
３２４・・・ミラー、３２５・・・光検出器
【図１】
2015082327.tif 000003
【図２】
2015082327.tif 000004
【図３】
2015082327.tif 000005
【図４】
2015082327.tif 000006
【図５】
2015082327.tif 000007
【図６】
2015082327.tif 000008
【図７】
2015082327.tif 000009
【図８】
2015082327.tif 000010
【図９】
2015082327.tif 000011
【図１０】
2015082327.tif 000012
【図１１】
2015082327.tif 000013
【図１２】
2015082327.tif 000014
【図１３】
2015082327.tif 000015
【図１４】
2015082327.tif 000016
【図１５】
2015082327.tif 000017
【図１６】
2015082327.tif 000018
【図１７】
2015082327.tif 000019
【図１８】
2015082327.tif 000020
【図１９】
2015082327.tif 000021
【図２０】
2015082327.tif 000022
【図２１】
2015082327.tif 000023
【図２２】
2015082327.tif 000024
【図２３】
2015082327.tif 000025
【図２４】
2015082327.tif 000026
【図２５】
2015082327.tif 000027